(57)【要約】【課題】上向き姿勢で液体を吐水装置する吐水装置として、実用的レベルで使い勝手が高く、構造が比較的簡単で低コスト化が図れ、しかも吐水機能性に優れ、高信頼性が確保できるうえ、一体的容器を使用して部品数低減が図れ、さらに汎用性のあるペットボトルなどを適用することも可能とする吐水装置を提供する。【解決手段】蓋５と容器３で構成された密閉容器７内で薬剤を反応させて気体を発生させ、この気体の圧力で密閉容器７内の液体２を外部に吐水装置する吐水装置１であって、密閉容器７内の底部に開口し、密閉容器内の加圧液体を吐水装置口１５へと導く流路１６と、施蓋時に薬剤１８を容器３内の液体２と接触させる薬剤投入機構１９とを備え、流路が薬剤投入機構の少なくとも一部を貫通している。【選択図】  図１
2005219758.tif 000002
【特許請求の範囲】
【請求項１】
蓋と容器で構成された密閉容器内で液体と薬剤を反応させて気体を発生させ、この気体の圧力で前記密閉容器内の液体を加圧し、外部に液体を吐水装置する吐水装置であって、
前記密閉容器内の底部に開口し、前記密閉容器内の加圧液体を吐水装置口へと導く流路と、
施蓋時に前記薬剤を前記容器内の液体と接触させる薬剤投入機構とを備え、
前記流路が前記薬剤投入機構の少なくとも一部を貫通していることを特徴とする吐水装置。
【請求項２】
蓋と容器で構成された密閉容器内で液体と薬剤を反応させて気体を発生させ、この気体の圧力で前記密閉容器内の液体を加圧し、外部に液体を吐水装置する吐水装置であって、
前記密閉容器内の底部に開口し、前記密閉容器内の加圧液体を吐水装置口へと導く流路と、
施蓋時に前記薬剤を前記容器内の液体と接触させる薬剤投入機構とを備え、
前記薬剤投入機構が前記流路内に設けられていることを特徴とする吐水装置。
【請求項３】
前記薬剤投入機構は、薬剤を密閉状態で収納した薬剤容器と、この薬剤容器を収納する薬剤収納部と、筒状の前記流路の途中に設けられた薬剤容器破壊部と、前記蓋に設けられた薬剤容器押し部とで構成され、施蓋時に前記薬剤容器破壊部と前記薬剤容器押し部とで、前記薬剤容器の少なくとも一部を破壊することを特徴とする請求項１〜２のいずれか１つに記載の吐水装置。
【請求項４】
前記筒状の流路は、前記容器の内部と前記筒状の流路の周囲に開口部を有し、前記容器内に液体を投入する際、前記開口部から前記容器の内部の空気が前記容器の外部へと排出されることを特徴とする請求項３記載の吐水装置。
【請求項５】
前記流路は可撓性チューブで構成されており、前記薬剤投入機構は筒状の薬剤容器保持部の途中に設けられ、施蓋時に薬剤容器を破壊する薬剤容器破壊部と、前記蓋に設けられ前記薬剤容器を前記薬剤破壊部に押圧する薬剤容器押し部とで、前記薬剤容器の少なくとも一部を破壊することを特徴とする請求項１記載の吐水装置。
【請求項６】
前記ガスは二酸化炭素を主成分とするガスである請求項１〜５のいずれか１つに記載の吐水装置。
【発明の詳細な説明】
【技術分野】
【０００１】
本発明は、密閉容器内で薬剤を反応させて気体を発生させ、この気体の圧力で密閉容器内の液体を外部に吐水装置する吐水装置、特に容器を上向きの姿勢にして吐水する吐水装置に関する。
【背景技術】
【０００２】
炭酸水などのガスを含有した液体は、人体に対して、血行促進や温感刺激、角質除去、静菌作用、洗浄効果などの各種の効果を与える。
【０００３】
炭酸水の場合、１０００ｐｐｍ程度の高濃度のものを人体に用いれば、上記各種の効果が顕著に期待できる。
【０００４】
したがって、このような液体を、使用場所を選ばずに何処でも手軽に吐水装置させ使用できる小型の吐水装置があると便利である。
【０００５】
そこで従来では、このような吐水装置、例えば携帯ウォシュレット等として、蓋と容器で構成された密閉容器内で薬剤を反応させて気体を発生させ、この気体の圧力で密閉容器内の液体を外部に吐水装置する吐水装置が知られている。
【０００６】
例えば特許文献１に開示された携帯用肛門洗浄器は、ノズルを連結したバルブボタンを上部に取付けた容器と、容器底部のネジ式蓋からなるもので、容器内の水に発泡錠剤を入れ、融解させ、発生する気体によって、容器内部に圧力を加え、ノズルより水を噴射させることを特徴としている。
【特許文献１】特開平４−５８９１９号公報
【発明の開示】
【発明が解決しようとする課題】
【０００７】
上述した特許文献１の技術は、容器内でガスが上に溜まるので、容器を、吐水装置部が下向きとなる配置にして吐水を行う構成となっており、ウォシュレット機能としては適するが、容器を上下逆にして吐水装置部が上向きとなる姿勢で吐水使用することはできない。
【０００８】
ところが、液体を吐水装置する器具としては、携帯ウォシュレットのように容器を下向きにして吐水を行うものに限らず、容器を上向きの姿勢にして液体を吐水装置する必要があるもの、例えばヘアスプレイ、化粧水、口内洗浄具なども存在し、これらに対して上述の従来技術では十分に対応することができない。
【０００９】
このような事情のもとで、上向き姿勢で液体を吐水装置する吐水装置として、実用的レベルで使い勝手を向上するための工夫がなされており、例えば反応性の高い顆粒状の薬剤を薬剤容器に入れ、容器密閉後に吐水用流路と別に設けた薬剤投入口から薬剤容器を投入する構造のように、薬剤投入部と上向き吐水機構とを、別々に、ないし別の場所に設けたものが案出されている。
【００１０】
しかし、この構造の吐水装置容器では、薬剤投入口と上向き吐水部（流路）とを別々に設ける必要があり、構造が複雑になって高コストとなったり、機能上で信頼性に課題が残っている。また、容器（圧力容器）を分割して作らなければならないため部品数も多く、かつ特別仕様の容器構造となる。このため、開口が狭く一つしかないが、安価で信頼性の高い汎用性のあるペットボトルなどを適用することが使できなかった。
【００１１】
本発明はこのような事情に鑑みてなされたもので、上向き姿勢で液体を吐水装置する吐水装置として、実用的レベルで使い勝手が高く、構造が比較的簡単で低コスト化が図れ、しかも吐水機能性に優れ、高信頼性が確保できるうえ、一体的容器を使用して部品数低減が図れ、さらに汎用性のあるペットボトルなどを適用することも可能とする吐水装置を提供することを目的とする。
【課題を解決するための手段】
【００１２】
前記の目的を達成するために、請求項１に係る発明では、蓋と容器で構成された密閉容器内で薬剤を反応させて気体を発生させ、この気体の圧力で前記密閉容器内の液体を外部に吐水装置する吐水装置であって、前記密閉容器内の底部に開口し、前記密閉容器内の加圧液体を吐水装置口へと導く流路と、施蓋時に前記薬剤を前記容器内の液体と接触させる薬剤投入機構とを備え、前記流路が前記薬剤投入機構の少なくとも一部を貫通していることを特徴とする吐水装置を提供する。
【００１３】
請求項２に係る発明では、蓋と容器で構成された密閉容器内で液体と薬剤を反応させて気体を発生させ、この気体の圧力で前記密閉容器内の液体を加圧し、外部に液体を吐水装置する吐水装置であって、前記密閉容器内の底部に開口し、前記密閉容器内の加圧液体を吐水装置口へと導く流路と、施蓋時に前記薬剤を前記容器内の液体と接触させる薬剤投入機構とを備え、前記薬剤投入機構が前記流路内に設けられていることを特徴とする吐水装置を提供する。
【００１４】
請求項３に係る発明では、前記薬剤投入機構が、薬剤を密閉状態で収納した薬剤容器と、この薬剤容器を収納する薬剤収納部と、筒状の前記流路の途中に設けられた薬剤容器破壊部と、前記蓋に設けられた薬剤容器押し部とで構成され、施蓋時に前記薬剤容器破壊部と前記薬剤容器押し部とで、前記薬剤容器の少なくとも一部を破壊することを特徴とする吐水装置を提供する。
【００１５】
請求項４に係る発明では、前記筒状の流路が、前記容器の内部と前記筒状の流路の周囲に開口部を有し、前記容器内に液体を投入する際、前記開口部から前記容器の内部の空気が前記容器の外部へと排出される吐水装置を提供する。
【００１６】
請求項５に係る発明では、前記流路は可撓性チューブで構成されており、前記薬剤投入機構は筒状の薬剤容器保持部の途中に設けられ、施蓋時に薬剤容器を破壊する薬剤容器破壊部と、前記蓋に設けられ前記薬剤容器を前記薬剤破壊部に押圧する薬剤容器押し部とで、前記薬剤容器の少なくとも一部を破壊する吐水装置を提供する。
【００１７】
請求項６に係る発明では、前記ガスは二酸化炭素を主成分とするガスである吐水装置を提供する。
【発明の効果】
【００１８】
本発明に係る吐水装置によれば、密閉容器内の加圧液体を吐水装置口へと導く流路が密閉容器内の底部に開口しているので、吐水装置口が密閉容器の上部に形成されている場合でも加圧液体を密閉容器の底部から吐水装置口へ導くことができる。
【００１９】
したがって、例えばヘアスプレイ、化粧水、口内洗浄具などのように、容器を上向きの姿勢にして液体を吐水装置する必要があるものに対して有効に適用することができる。
【００２０】
また、容器に対する施蓋時に薬剤を容器内の液体と接触させる薬剤投入機構を備えるので、蓋をしない状態では薬剤の反応が生じない一方、容器を縦状態にしたまま施蓋することによって自動的に、かつ確実に薬剤を反応させることができる。このため、不用意な状態での薬剤反応を防止できるとともに、施蓋時に即座に反応を生じさせることができるので、容器外に反応したガスが逸散することもなく、容器内の圧力を確実に高めて吐水することができる。この為、電池やポンプがなくても確実に吐水ができ、実用的レベルで使い勝手が極めて高いものとなる。
【００２１】
しかも、流路が薬剤投入機構の少なくとも一部を貫通している。従って、開蓋時にこの薬剤投入機構を通して、液体や薬剤を投入することができる。また、施蓋時にはこの流路を通じて、上向きのまま吐水することができる。従って、これらがコンパクトにまとまった構成となり、構造が比較的簡単で低コスト化が図れるとともに、吐水機能性に優れ、高信頼性を確保することができる。
【００２２】
さらに、このように機能性に富む構成であるため、特別仕様の容器構造が不要となり、開口が狭く一つしかないが、安価で信頼性の高い汎用性のあるペットボトルなどを適用することも容易に可能となる。
【００２３】
さらにまた、水が通過する流路部分に薬剤投入機構を設けたので、水の流れが起こるため、局部的に濃度が高くなって、薬剤が溶け残るという減少が起こらない。仮に、溶け残りがあっても、流路なので水の流れが起こるため、攪拌され薬剤が溶解しやすい。また、流路内を利用して薬剤投入機構を設けたことにより、構成がコンパクトになり、それにより低コスト化も図れる。
【００２４】
また、流路を筒状とし、その流路の途中に薬剤容器破壊部を設けて、蓋に設けられた薬剤容器押し部と協働して施蓋時に薬剤容器を破壊する構成とした場合には、容器内に水などの液体を収容した状態で薬剤容器内を容器内に挿入しただけでは反応を生じさせず、施蓋によって初めて反応を起させるので、不用意なガス逸散や吐水装置が生じることもなく、安全性が確保できるとともに、流路と薬剤容器破壊部とを兼用させたことにより両部材を効率的に配置して一層のコンパクト化が図れるようになる。
【００２５】
また、流路を筒状とし、容器の内部と筒状の流路の周囲に開口部を有し、容器内に液体を投入する際、開口部から容器の内部の空気が容器の外部へと排出される構成とした場合には、容器の口から水を入れる際に、水が筒状の流路から容器内に入って貯留するが、この時、水は容器内の空気と入れ替わる必要がある。従って、前記開口部を前記流路の周囲に設けることで、容易に容器内の空気と水を置換することができ、使い勝手が良い。さらに、容器にペットボトルの様な口が狭くなったものを用いる場合にも好適である。
【００２６】
さらにまた、流路を可撓性チューブで構成し、薬剤投入機構を筒状の薬剤容器保持部の途中に設けられた薬剤容器破壊部と可撓性チューブとで、薬剤容器の少なくとも一部を破壊する構成とする場合には、簡易かつ効率的な構成によって、確実に反応を起させ、一層簡便で機能性に優れた吐水装置を提供することができる。
【００２７】
また、流路は可撓性チューブで構成されており、薬剤投入機構は筒状の薬剤容器保持部の途中に設けられ、施蓋時に薬剤容器を破壊する薬剤容器破壊部と、蓋に設けられ薬剤容器を薬剤破壊部に押圧する薬剤容器押し部とで、薬剤容器の少なくとも一部を破壊する構成としたので、可撓性チューブがつぶれて流路がふさがることがない。また、可とう性チューブを用いているため薬剤投入機構を貫通させる際の流路の取り回しの自由度が高い。
【００２８】
この場合、吐水装置を傾けて使用しても、可撓性を有する流路が自重で底を動くことができるので、容器内の液体を最後まで吐水することができる。
【００２９】
また、前記ガスを二酸化炭素とした場合には、水に対する溶解度が高く、かつ人体に無害であるという利点が得られる。すなわち、一般的にガスは圧力が高いほど水によく溶け、圧力が下ると、水に対する溶解度は減少する。よって吐水時に圧力が低下すると同時に、ガスの水に対する溶解度もさがるため、吐水中は容器内の水から、溶解しきれなくなったガスが放出される。この放出されたガスにより、容器内の圧力減少の緩和が起こる。溶解度が高いガスほど、水中から放出されるガスの量が多くなるため、溶解度の高いガスを用いることが好ましい。しかも、二酸化炭素は溶解度が高い上に人体に無害である。
【００３０】
また、前記ガスを薬剤反応により発生したものとした場合には、薬剤によりガスを発生させるので、繰り返し何度でも使用することができる。
【発明を実施するための最良の形態】
【００３１】
以下、本発明に係る吐水装置の一実施形態について、図面を参照して説明する。
【００３２】
＜第１実施形態（図１〜図３）＞
図１は、本発明の第１実施形態による吐水装置の構成を示す全体断面図であり、図２は、本発明の第１実施形態による吐水装置の部品構成を断面で示す分解図である。図３（Ａ）は、本発明の第１実施形態の使用時の状態を示す全体断面図であり、同図（Ｂ）は（Ａ）の一部を拡大して示す断面図である。
【００３３】
図１および図２に示すように、本実施形態の吐水装置１は、液体２である水を上方から注入し得る広口瓶型の容器３と、この容器３の上端開口部外周にネジ部４を介して装着される着脱可能な蓋５とを有し、施蓋により容器３内に密閉空間６を形成することが可能な密閉容器７として構成されている。
【００３４】
蓋５は、上述したネジ部４を有する基蓋５ａと、この基蓋５ａに上向き付勢用のスプリング８を介して押し下げ可能に設けられた操作蓋５ｂとを有し、蓋５の内部には、一端が容器３内の中央位置で開口し、他端が蓋５の外側方に向うノズルとして開口する通水路９が形成されている。この通水路９の容器３内方側の端部中央位置に、操作蓋５ｂの押し下げにより開口し、通水路９を開閉する開閉弁１０が設けられている。
【００３５】
この開閉弁１０は、常時はスプリング８によって閉方向に付勢されている。開閉弁１０の周囲には、下端開口の筒状の弁ホルダ１１が設けられ、この弁ホルダ１１の下端は弁開時における開閉弁１０の下端部よりも下方に長く形成され、かつ下端周縁部には凹凸形の切欠による液体流入隙間１２が形成されている。この弁ホルダ１１の下端部は、後述する薬剤容器押し部２１として機能するものとなっている。
【００３６】
一方、容器３内の内部中央位置には、瓶口である上端開口部１３の口径よりも小径な上下端開口の縦長筒状の内部筒１４が設けられ、この内部筒１４により、密閉容器７内の底部に開口し、密閉容器７内の加圧液体を開閉弁１０を介して通水路９から吐水装置口１５へと導く流路１６が形成されている。すなわち、この内部筒１４は容器３の上端部と内底部付近までに亘る上下長さを有し、上下端が開口している。これにより、施蓋時における蓋５の下端部に当接する高さ位置から容器３の底部近傍まで垂下する上下端開放の流路１６が形成され、容器３内に収容される液体２が容器３の内底部から流路１６の上方に導かれ、かつ上方に流動できるようになっている。
【００３７】
そして、本実施形態においては、図２に示すように、薬剤１７が薬剤容器１８内に収容されて備えられるとともに、施蓋時に薬剤１７を容器３内の液体と接触させる薬剤投入機構１９を備えている。この薬剤投入機構１９は、内部筒１４の上下方向略中間位置と蓋５の弁ホルダ１１の下端部との間に筒状の薬剤容器１８を投入保持できる機構である。
【００３８】
すなわち、内部筒１４の上下方向中間位置には、上端が斜めに切断された爪１９ａを有する小径筒状の上下端開口の薬剤容器受部２０が設けられ、この薬剤容器受部２０の上に筒状の薬剤容器１８を同軸的に載置保持できるようになっている。また、施蓋時には、弁ホルダ１１によって上方から薬剤１７を密封収容した薬剤容器１８を圧下することにより、爪部１９ａが薬剤容器１８の接触部である底部のシール材１８ａを破壊することができるようになっている。
【００３９】
すなわち、弁ホルダ１１が薬剤容器押し部２１として構成されるとともに、薬剤容器受部２０の爪１９ａにより、薬剤容器破壊部２２が構成されている。なお、弁ホルダ１１の下端部には凹凸形の切欠による液体流入隙間１２が形成されているので、液体はこの隙間を介して薬剤容器１８の周囲から上方に向って流動し、開閉弁１０の内部を介して通水路９に確実に供給される。
【００４０】
このように、本実施形態では、施蓋時に薬剤１７を容器３内の液体と接触させる薬剤投入機構１９を備え、流路１６が薬剤投入機構１９の少なくとも一部を貫通している構成となっている。また、薬剤投入機構１９が、筒状の流路１６の途中に設けられた薬剤容器破壊部２２と、蓋５に設けられた薬剤容器押し部２１とで構成され、施蓋時に薬剤容器破壊部２２と薬剤容器押し部２１とで、薬剤容器１８の少なくとも一部（底部）を破壊するようになっている。これにより、施蓋時に薬剤１７を容器３内の液体と接触させる薬剤投入機構１９が形成され、密閉容器７内で水と薬剤１７とを反応させて気体を発生させることができるようになっている。
【００４１】
例えば薬剤容器１８はＰＰやＰＥなどの樹脂からなる薬剤容器本体に顆粒状の薬剤を収納し、アルミシートや樹脂フィルムからなるシール材１８ａで密閉することができる。こうすれば、薬剤の密閉性も保ちつつ、使用時には密閉後に確実に薬剤と水を反応させることができる。また、薬剤容器本体、内部筒、容器３を透明な樹脂で形成すれば、使用者が薬剤の反応終了を確認することもできる。
【００４２】
内部筒１４の内側の薬剤容器受部２０においては、発泡する薬剤１７を保持する筒状の薬剤容器１８をこの薬剤容器受部２０により容器３内の所定高さ位置に挿入保持できるとともに、施蓋により上方から薬剤容器１８を押圧した際に、薬剤容器破壊部２２に接触して薬剤容器１８の下端部が破壊し、内部の薬剤１７が容器３内の液体２と接触し得るようになっている。
【００４３】
また、筒状の流路１６は、容器３の上端位置において、容器３の内部と筒状の流路１６の周囲に開口部２３を有し、容器３内に液体を投入する際、開口部２３から容器３の内部の空気が容器３の外部へと排出されるようになっている。
【００４４】
次に作用を説明する。
【００４５】
使用時には、容器３の蓋５を外し、容器３の上端開口部１３から容器３内に水等の液体２を注入する。この場合、液体２は内部筒１４の底部の隙間を介してその内外周に充填し得るとともに、開口部２３から容器３の内部の空気が容器３の外部へと排出されるので、容器３内に液体２が円滑に注入される。
【００４６】
液体２の充填後には、内部筒１４内における薬剤容器受部２０に薬剤１７を保持する筒状の薬剤容器１８を挿入する。その後、容器３に対して施蓋し、容器３内を密閉空間とするとともに、施蓋により下降する蓋５の内底部により薬剤容器１８を圧下し、薬剤容器１８の下端のシール部材１８ａを薬剤容器破壊部２２に当接させて破壊させ、薬剤１７を液体２に接触させる。
【００４７】
薬剤１７としては、例えば炭酸水素ナトリウムと有機酸例えばクエン酸などの果実酸を適用する。これらが液体２である水に溶解すると、炭酸ガスが発生する。発生した炭酸ガスは水中に気泡として含有されるとともに、容器３内の上部に充満する。
【００４８】
また、炭酸ガスは他のガスと比較して、水への溶解性が非常に高い。このため、減圧、または攪拌効果による、気泡の発生量が大きく、気泡を含有した吐水を行う際、加圧ガスとして非常に優れている。節水効果を求められる携帯用吐水装置のように、小型小容量の容器を用いて少量の液を吐水する場合において、特に好ましい。
【００４９】
ここで、気体の水への溶解性について比較した例を示す。人体に害がなく、大気中に容易に放出可能な気体として、空気中に含まれる窒素、酸素、二酸化炭素を例にあげ比較してみると、水に対する溶解度の比率は窒素：酸素：二酸化炭素＝１：２：４０であり、二酸化炭素は他の気体より溶解度が高いことが分かる。
【００５０】
開閉弁１０は容器３内のガス圧およびスプリング８の弾性により押上げられ、閉状態を確実に維持することができる。使用者は、この状態で容器３を携帯することができる。
【００５１】
人体洗浄等の使用に際しては、操作蓋５ｂを押し下げる。これにより、開閉弁１０が開となり、容器３の中央に開口している流路１６および通水路９を介して内部筒１４内の炭酸ガスが排出される。一方、内部筒１４の外側上部には炭酸ガスが残り、図１に矢印ｃで示すように、内部筒１４の外側の液体２が上部の炭酸ガスによって加圧されている。そこで、操作蓋５ｂを押し続けた場合には、内部筒１４の外側上部の炭酸ガスによる加圧力で液体２が内部筒１４の上方に移動し、開口する開閉弁１０および流路１６を介して液体２が通水路９内にその一端側から流入する。そして、液体２は通水路９を通った後、吐水装置口１５から排出される。
【００５２】
なお、本実施形態では電源、ポンプ等が不要であり、簡素、軽量な構成のもとで最大の人体の洗浄、美容・健康の促進等が得られる。そして、本実施形態の吐水装置１では、容器３への液体２および薬剤容器１８の挿入操作を、容器３を逆さまにする必要なく行え、またガス圧による液体吐水装置作用も容器３を逆さまにする必要なく、吐水装置口１５を上側配置のままで行うことができる。したがって、使用方法も容易であり、顔や上半身への吐水等に便利なものとなる。
【００５３】
以上のように、本実施形態においては、密閉容器７内の加圧液体を吐水装置口１５へと導く流路１６が密閉容器７内の底部に開口しているので、吐水装置口１５が密閉容器７の上部に形成されている場合でも加圧液体を密閉容器７の底部から吐水装置口１５へ導くことができる。したがって、例えばヘアスプレイ、化粧水、口内洗浄具などのように、容器を上向きの姿勢にして液体２を吐水装置する必要があるものに対して有効に適用することができる。
【００５４】
また、容器に対する施蓋時に薬剤１７を容器内の液体と接触させる薬剤投入機構１９を備えるので、施蓋しない状態では薬剤１７の反応が生じない一方、容器を縦状態にしたまま施蓋することによって自動的に、かつ確実に薬剤１７を反応させることができる。このため、不用意な状態での薬剤反応を防止できるとともに、施蓋時に即座に反応を生じさせることができるので、ガス漏れもなく、少ない薬剤量で確実にガスを発生させて液体を加圧でき、実用的レベルで使い勝手が極めて高いものとなる。
【００５５】
しかも、薬剤投入機構１９が流路１６内に設けられているので、これらがコンパクトにまとまった構成となり、構造が比較的簡単で低コスト化が図れるとともに、吐水機能性に優れ、高信頼性を確保することができる。
【００５６】
特に、薬剤や液体の投入と上向きに吐水する為の構造を一体化し簡単にできるので、容器内に密閉性を確実に高めることができ、高いガス圧を使って吐水する場合にも非常に適している。
【００５７】
さらに、このように機能性に富む構成であるため、特別仕様の容器構造が不要となり、安価で信頼性の高い汎用性のあるペットボトルなどを適用することも容易に可能となる。
【００５８】
また、流路１６を筒状とし、その流路１６の途中に薬剤容器破壊部２２を設けて、蓋５に設けられた薬剤容器押し部２１と協働して施蓋時に薬剤容器１８を破壊する構成とした場合には、容器内に水などの液体２を収容した状態で薬剤容器１８内を容器内に挿入しただけでは反応を生じさせず、施蓋によって初めて反応を起させるので、不用意な吐水装置が生じることもなく、安全性が確保できるとともに、流路１６と薬剤容器破壊部２２とを兼用させたことにより両部材を効率的に配置して一層のコンパクト化が図れるようになる。
【００５９】
また、流路１６を筒状とし、容器の内部と筒状の流路１６の周囲に開口部２３を有し、容器内に液体を投入する際、開口部２３から容器の内部の空気が容器の外部へと排出される構成とした場合には、容器の口から水を入れる際に、水が筒状の流路から容器内に入って貯留するが、この時、水は容器内の空気と入れ替わる必要がある。従って、前記開口部を前記流路の周囲に設けることで、容易に容器内の空気と水を置換することができ、使い勝手が良い。さらに、容器にペットボトルの様な口が狭くなったものを用いる場合にも好適である。
【００６０】
＜第２実施形態（図４、図５）＞
図４（Ａ）は、本発明の第２実施形態による吐水装置１を一部断面で示す概略斜視図であり、同図（Ｂ）は（Ａ）の一部を拡大して示す説明図である。図５（Ａ）は本発明の第２実施形態による吐水装置１の変形例を一部断面で示す概略斜視図であり、同図（Ｂ）、（Ｃ）および（Ｄ）はそれぞれ（Ａ）の吐水装置１に用いる薬剤を例示した斜視図である。
【００６１】
本実施形態では、薬剤容器１８を開放型として薬剤保持部２０ａに載置し、または薬剤容器なしで直接薬剤を薬剤保持部２５に配置するようにしている。
【００６２】
すなわち、図４（Ａ）には、薬剤容器１８の上部を開放型として薬剤保持部２５に載置する構成を示している。この構成の場合には、蓋１５によって薬剤容器１８が固定保持される。この状態で密閉容器７の姿勢を上下逆にする等の操作により、薬剤を液体２に接触させて反応させることができる。
【００６３】
このような構成によれば、必要時に必要量の気体にする等の操作により、薬剤を液体２に接触させて反応させることができる。
【００６４】
なお、図４（Ｂ）に示したように、薬剤容器投入機構であり内部筒の上端部は一部外径が小さい溝部２４とし、これにより空気通路を確保できるようになっている。
【００６５】
また、図５（Ａ）には、容器なしで直接薬剤を保持する薬剤保持部２５の例を示している。この図５（Ａ）の構成では、薬剤保持部２５として、メッシュ状の薬剤載置台が、内部筒に設けられている。
【００６６】
図５（Ｂ）には、薬剤紛、または薬剤顆粒を円筒型の固形剤２６とした例を示し、図５（Ｃ）には、薬剤粉、または薬剤顆粒を直接用いる場合の例を示している。図５（Ｄ）には、アルミパウチ２８とした例を示している。
【００６７】
本実施形態においては、上述のように、液体２を収容した容器の姿勢や収容量を変化させることにより、液体２と接触させて反応を起させるが、特に粉状、顆粒状の薬剤の反応性が高いので、非反応時には例えば水位よりも高い位置に薬剤２６，２７，２８を保持部に直接保持するようにすることが望ましい。
【００６８】
＜第３実施形態（図６）＞
図６は、本発明の第３実施形態による吐水装置１を示す概略斜視図である。
【００６９】
本実施形態では、薬剤投入機構１９である内部筒１４の内部に、薬剤の保持部等を設けない内部空状態の構成とし、必要な薬剤を直接内部筒１４内に投入して、液体２との反応を生じさせるようになっている。
【００７０】
このうような構成においては、薬剤投入口２９と吐水装置路１６とを同一とすることにより、装置の簡略化、小型化が図れ、特に携帯性に優れたものとなる。
【００７１】
＜第４実施形態（図７、図８）＞
図７は、本発明の第４実施形態による吐水装置１を示す部分断面図であり、図８は、同吐水装置１の部品構成を示す分解斜視図である。
【００７２】
本実施形態の吐水装置１では、流路１６が可撓性チューブ３０で構成されており、薬剤投入機構１９は、筒状の薬剤容器保持部３１の途中に設けられた薬剤容器破壊部３２と可撓性チューブ３０とで、薬剤容器１８の少なくとも一部を破壊する構成となっている。
【００７３】
すなわち、図７および図８に示すように、本実施形態では、蓋５の下端中央部に設けられた開閉弁１０の液体入口となる周囲部の弁ホルダ部３４に、吐水装置用流路を構成するための可撓性チューブ３０の一端３０ａが接続されている。この可撓性チューブ３０の他端３０ｂは、容器３の底部３ａまで延び、給水口３５として開口している。
【００７４】
一方、薬剤投入機構１９を構成する縦長な内部筒３６は、下端部が容器３の上部ないし中央高さ位置程度までの垂下長さで止まる短筒状とされている。この内部筒３は容器３と別体として構成されており、上端部に設けたフランジ部３７を容器３の上端の開口部２３上に載置固定されている。そして、この短筒状の内部筒３６によって薬剤容器保持部が形成されるとともに、この内部筒３６の下端部に薬剤容器破壊部３２が設けられている。
【００７５】
さらに、内部筒３１の周壁には窓孔状のチューブ挿通孔３８が設けられ、このチューブ挿通孔３８に可撓性チューブ３０が挿通されている。また、蓋５の下端部から垂下した円環状頭部付き平行縦杆からなる薬剤容器押付け具３９により、薬剤容器１８が上方から押え付けられるようになっている。また、図８に記載されているように、施蓋時に可撓性チューブ３０が薬剤容器１８の円錐状の突起にガイドされるようにチューブ挿通孔３８に案内されて挿通されている。この挿通と同時に先に説明した、薬剤容器押付け具３９による薬剤容器１８の押え付けが発生する。
【００７６】
このような構成により、薬剤容器破壊部２２上に搭載された薬剤容器１８に、可撓性チューブ３０および薬剤容器押付け具３９の加重が作用し、薬剤容器破壊部３２と薬剤容器押付け具３９とで、薬剤容器１８の下端部が破壊されるようになっている。
【００７７】
本実施形態においては、このようにして破壊された薬剤容器１８から薬剤１７が液体２中に流入し、前記同様の反応によりガスが発生し、液体２が容器内上方から加圧され、その加圧力により、容器３の底部３ａにて開口する可撓性チューブ３０内に加圧された液体２が送られる。そこで、操作蓋５ｂの押し下げにより開閉弁１０を開とすることで、液体２を吐水装置口１５から噴射することができる。
【００７８】
また、薬剤投入機構１９を貫通させる際の流路の取り回しの自由度は下がるが、チューブ３０自体に剛性をもたせ、押付け部を配設せずに、チューブ３０自体で直接薬剤を押して、チューブ３０と薬剤容器破壊部３２とで薬剤容器の下端部を破壊してもよい。
【００７９】
本実施形態においても、前記実施形態と同様に、上向き姿勢で液体２を吐水装置する吐水装置１として使い勝手がよい吐水装置１を提供でき、特に構成が簡素で高機能を得ることができる。
【００８０】
この場合、吐水装置１を傾けて使用しても、可撓性チューブ３０が自重で容器３の底を動くことができるので、容器３内の液体２を最後まで吐水することができる。
【００８１】
なお、図示しないが、以上の実施形態のほか、薬剤容器保持部３１および薬剤容器破壊部３２を容器３の底部３ａ側に、前記各実施形態と反対の向きに設けてもよい。
【図面の簡単な説明】
【００８２】
【図１】本発明の第１実施形態による吐水装置の構成を示す全体断面図。
【図２】本発明の第１実施形態による吐水装置の部品構成を断面で示す分解図。
【図３】（Ａ）は本発明の第１実施形態の使用時の状態を示す全体断面図、（Ｂ）は（Ａ）の一部を拡大して示す断面図。
【図４】（Ａ）は本発明の第２実施形態による吐水装置を一部断面で示す概略斜視図、（Ｂ）は（Ａ）の一部を拡大して示す説明図。
【図５】（Ａ）は本発明の第２実施形態による吐水装置の変形例を一部断面で示す概略斜視図、（Ｂ）、（Ｃ）および（Ｄ）はそれぞれ（Ａ）の吐水装置に用いる薬剤を例示する斜視図。
【図６】本発明の第３実施形態による吐水装置を示す概略斜視図。
【図７】本発明の第４実施形態による吐水装置を示す部分断面図。
【図８】本発明の第４実施形態による吐水装置の部品構成を示す分解斜視図。
【符号の説明】
【００８３】
１  吐水装置
２  液体
３  容器
４  ネジ部
５  蓋
５ａ  基蓋
５ｂ  操作蓋
６  密閉空間
７  密閉容器
８  スプリング
９  通水路
１０  開閉弁
１１  弁ホルダ
１２  液体流入隙間
１３  上端開口部
１４  内部筒
１５  吐水装置口
１６  流路
１７  薬剤
１８  薬剤容器
１８ａ  シール部材
１９  薬剤投入機構
１９ａ  爪部
２０  薬剤容器受部
２０ａ  薬剤保持部
２１  薬剤容器押し部
２２  薬剤容器破壊部
２３  開口部
２４  溝部
２５  薬剤保持部
２６  固形剤
２７  顆粒剤
２８  アルミパウチ
２９  薬剤投入口
３０  可撓性チューブ
３１  薬剤容器保持部
３２  薬剤容器破壊部
３４  弁ホルダ部
３５  給水口
３６  内部筒
３７  フランジ部
３８  チューブ挿通孔
３９  薬剤容器押付け具
４０  開閉蓋
４１  開口
４２  蓋押え
【図１】
2005219758.tif 000003
【図２】
2005219758.tif 000004
【図３】
2005219758.tif 000005
【図４】
2005219758.tif 000006
【図５】
2005219758.tif 000007
【図６】
2005219758.tif 000008
【図７】
2005219758.tif 000009
【図８】
2005219758.tif 000010